(57)【要約】【課題】  電子メールが選択されるパターンに多様性を持たせることが可能なメール送信システムを提供する。【解決手段】  端末装置に送信する電子メールと、電子メールが選択される確率であるメール選択確率とが複数対応付けられた電子メール選択テーブルを記憶するテーブル記憶手段と、所定の電子メール送信条件が成立したときに、電子メール選択テーブルを参照して電子メールを選択するメール選択手段と、メール選択手段によって選択された電子メールを端末装置に送信するメール送信手段と、端末装置から送信される電子メールを受信するメール受信手段と、メール受信手段によって受信した電子メールに基づいて、電子メール選択テーブルにおけるメール選択確率を変更する選択確率変更手段とをメール送信システムが備える。【選択図】  図１
2006309422.tif 000002
【特許請求の範囲】
【請求項１】
端末装置に送信する電子メールと、前記電子メールが選択される確率であるメール選択確率とが複数対応付けられた電子メール選択テーブルを記憶するテーブル記憶手段と、
所定の電子メール送信条件が成立したときに、前記電子メール選択テーブルを参照して前記電子メールを選択するメール選択手段と、
前記メール選択手段によって選択された前記電子メールを前記端末装置に送信するメール送信手段と、
前記端末装置から送信される前記電子メールを受信するメール受信手段と、
前記メール受信手段によって受信した前記電子メールを受信する頻度であるメール受信頻度、前記電子メールの文字数、又は、前記端末装置に送信した前記電子メールに応じて前記端末装置から前記電子メールが返信される割合であるメール返信率の何れかを少なくとも含むメール情報に基づいて、前記電子メール選択テーブルにおける前記メール選択確率を変更する選択確率変更手段とを備えることを特徴とするメール送信システム。
【請求項２】
前記テーブル記憶手段は、前記電子メール選択テーブルを端末装置毎に記憶し、
前記メール選択手段は、前記端末装置と対応付けられた前記電子メール選択テーブルを参照して前記電子メールを選択し、
前記選択確率変更手段は、前記メール受信手段によって受信した前記電子メールの前記メール情報に基づいて、前記電子メールを送信した前記端末装置と対応付けられた前記電子メール選択テーブルにおける前記メール選択確率を変更することを特徴とする請求項１に記載のメール送信システム。
【請求項３】
前記メール受信手段によって受信した前記電子メールの前記メール情報に基づいて、前記端末装置に前記電子メールを送信する間隔を変更するメール送信間隔変更手段を備えることを特徴とする請求項１又は請求項２に記載のメール送信システム。
【発明の詳細な説明】
【技術分野】
【０００１】
所定の電子メール送信条件が成立したときに、複数種類の電子メールの中からいずれかを選択するメール送信システムに関する。
【背景技術】
【０００２】
従来、遊技者が再びホール等に来店しようとする意欲や、遊技者が再び遊技機で遊技を行おうとする意欲などを高めるために、該ホール等の会員となった遊技者の端末装置（例えば、携帯電話）に、遊技機やホール等に関する情報を電子メールによって送信する遊技システムが知られている（例えば、特許文献１）。
【０００３】
この遊技システムは、ホール等に設置される遊技機や、ホール等に設置されるホールコンピュータによって構成される。
【特許文献１】特開２００４−２４２７０４号公報
【発明の開示】
【発明が解決しようとする課題】
【０００４】
しかしながら、従来の遊技システムでは、単に、予め定められた確率に従って複数の電子メールの中から電子メールを選択し、その選択した電子メールを遊技者の端末装置に送信していた。すなわち、電子メールや電子メールが選択されるパターンが一定であり、電子メールのパターンが単調なものとなっていた。
【０００５】
そこで、本発明は、上述した課題を解決するためになされたものであり、電子メールが選択されるパターンに多様性を持たせることが可能なメール送信システムを提供することを目的とする。
【課題を解決するための手段】
【０００６】
本発明の第１の特徴は、端末装置に送信する電子メールと、電子メールが選択される確率であるメール選択確率とが複数対応付けられた電子メール選択テーブルを記憶するテーブル記憶手段と、所定の電子メール送信条件が成立したときに、電子メール選択テーブルを参照して電子メールを選択するメール選択手段と、メール選択手段によって選択された電子メールを前記端末装置に送信するメール送信手段と、端末装置から送信される電子メールを受信するメール受信手段と、メール受信手段によって受信した電子メールを受信する頻度であるメール受信頻度、電子メールの文字数、又は、端末装置に送信した電子メールに応じて端末装置から電子メールが返信される割合であるメール返信率の何れかを少なくとも含むメール情報に基づいて、電子メール選択テーブルにおけるメール選択確率を変更する選択確率変更手段とをメール送信システムが備えることを要旨とする。
【０００７】
かかる特徴によれば、選択確率変更手段が、メール受信手段によって受信した電子メールのメール受信頻度、電子メールの文字数又はメール返信率の何れかを少なくとも含むメール情報に基づいて、電子メール選択テーブルにおけるメール選択確率を変更することにより、メール送信システムは、電子メール選択テーブルにおいて電子メールと対応付けられたメール選択確率を異ならせることができる。すなわち、メール送信システムは、電子メールが選択されるパターンに多様性を持たせることができる。
【０００８】
本発明の第２の特徴は、テーブル記憶手段が、電子メール選択テーブルを端末装置毎に記憶し、メール選択手段が、端末装置と対応付けられた電子メール選択テーブルを参照して電子メールを選択し、選択確率変更手段が、メール受信手段によって受信した電子メールのメール情報に基づいて、電子メールを送信した端末装置と対応付けられた電子メール選択テーブルにおけるメール選択確率を変更することを要旨とする。
【０００９】
かかる特徴によれば、選択確率変更手段が、メール受信手段によって受信した電子メールのメール情報に基づいて、電子メールを送信した端末装置と対応付けられた電子メール選択テーブルにおけるメール選択確率を変更することにより、メール送信システムは、メール選択確率を遊技者毎に異ならせることができる。すなわち、メール送信システムは、電子メールの内容が選択されるパターンにさらに多様性を持たせることができる。
【００１０】
本発明の第３の特徴は、メール受信手段によって受信した電子メールのメール情報に基づいて、端末装置に電子メールを送信する間隔を変更するメール送信間隔変更手段をメール送信システムが備えることを要旨とする。
【００１１】
かかる特徴によれば、送信間隔変更手段が、メール受信手段によって受信した電子メールのメール情報に基づいて、端末装置に電子メールを送信する間隔を変更することにより、メール送信システムは、端末装置との間で行われる電子メールの送信する間隔を端末装置毎に異ならせることができる。すなわち、端末装置を所有する者は、メール送信システムとの間で行われる電子メールをさらに楽しむことができる。
【発明の効果】
【００１２】
本発明によれば、電子メールが選択されるパターンに多様性を持たせることが可能なメール送信システムを提供することができる。
【発明を実施するための最良の形態】
【００１３】
（遊技システムの構成）
以下において、本発明の一実施形態に係る遊技システム１００の構成について、図面を参照しながら説明する。図１は、本発明の一実施形態に係る遊技システム１００の構成を示す図である。
【００１４】
図１に示すように、遊技システム１００（メール送信システム）は、複数の遊技機（遊技機１０ａ〜遊技機１０ｊ）と、ホールコンピュータ２００とによって構成される。なお、複数の遊技機は、一般的な遊技機（例えば、パチンコ機やスロット機）であるため、詳細な説明については省略する。
【００１５】
ホールコンピュータ２００は、大当り状態が発生した回数や、大当り状態が発生するまでに行われている遊技の回数（いわゆる、回転数）などを遊技機毎に管理している。また、ホールコンピュータ２００は、有線や無線による伝送路等を介して複数の遊技機を管理することが可能なものであればよい。
【００１６】
また、ホールコンピュータ２００は、ネットワーク４００を介して、ホール等の会員となった遊技者の携帯電話（携帯電話３００ａ〜３００ｃ）から電子メールを送受信する。なお、ホールコンピュータ２００は、携帯電話から電子メールを送受信するものに限らず、例えばパーソナルコンピュータやノード型パーソナルコンピュータ、ＰＤＡ（Ｐｅｒｓｏｎａｌ  Ｄｉｇｉｔａｌ  Ａｓｓｉｓｔａｎｔｏｓ）などの端末装置から電子メールを送受信するものであってもよい。
【００１７】
以下において、このホールコンピュータ２００の制御部について、図面を参照しながら説明する。図２は、本発明の一実施形態に係るホールコンピュータ２００の制御部を示すブロック図である。
【００１８】
図２に示すように、ホールコンピュータ２００の制御部は、メール受信部２０１と、メール送信部２０２と、テーブル記憶部２０３と、メール選択部２０４と、送信間隔変更部２０５とによって構成される。
【００１９】
メール受信部２０１は、遊技者の携帯電話（図１を参照）から送信される電子メールを受信する。また、メール受信部２０１は、端末装置から送信される電子メールを受信するメール受信手段を構成する。
【００２０】
メール送信部２０２は、電子メールを遊技者の携帯電話に送信する。また、メール送信部２０２は、メール選択手段によって選択された電子メールを端末装置に送信するメール送信手段を構成する。
【００２１】
テーブル記憶部２０３は、電子メールを選択する際に参照される電子メール選択テーブル（メール選択テーブル（図６を参照）及びメールパターン選択テーブル（図４及び図５を参照））や、メールパターン選択テーブルにおいてメールパターンと対応付けられた乱数範囲を変更する際に参照される乱数範囲変更テーブル（図３を参照）等を記憶する。
【００２２】
また、テーブル記憶部２０３は、端末装置に送信する電子メールと、該電子メールが選択される確率であるメール選択確率とが複数対応付けられた電子メール選択テーブル（メール選択テーブル及びメールパターン選択テーブル）を記憶するテーブル記憶手段を構成する。
【００２３】
メール選択部２０４は、遊技者の携帯電話に送信する電子メールを選択するとともに、メールパターン選択テーブルにおける乱数範囲を変更する処理を行う。また、メール選択部２０４は、所定の電子メール送信条件が成立したときに、電子メール選択テーブル（メール選択テーブル及びメールパターン選択テーブル）を参照して電子メールを選択するメール選択手段、及び、メール受信手段（メール受信部２０１）によって受信した電子メールを受信する頻度であるメール受信頻度、電子メールの文字数、又は、端末装置に送信した電子メールに応じて該端末装置が電子メールを返信する割合であるメール返信率の何れかを少なくとも含むメール情報に基づいて、電子メール選択テーブル（メールパターン選択テーブル）におけるメール選択確率を変更する選択確率変更手段を構成する。
【００２４】
送信間隔変更部２０５は、遊技者に電子メールを送信する間隔を遊技者毎に変更する処理を行う。また、送信間隔変更部２０５は、メール受信手段によって受信した電子メールのメール情報に基づいて、端末装置に電子メールを送信する間隔を変更するメール送信間隔変更手段を構成する。
【００２５】
以下において、上述した乱数範囲変更テーブルについて、図面を参照しながら説明する。図３は、本発明の一実施形態に係る乱数範囲変更テーブルを示す図である。
【００２６】
図３（ａ）は、遊技者の携帯電話から送信される電子メールを遊技システムが受信する頻度（本実施形態では、遊技システムが１週間で電子メールを受信した回数）であるメール受信頻度に基づいて、メールパターン選択テーブルにおける乱数範囲（乱数の個数）を変更する際に参照される乱数範囲変更テーブルである。図３（ａ）に示すように、この乱数範囲変更テーブルでは、メール受信頻度と増減される乱数の個数とが対応付けられている。
【００２７】
例えば、メール受信頻度が１週間で“０回”であった場合、メールパターンａに対応する乱数の個数が１個減らされ、メールパターンｂに対応する乱数の個数が２個減らされ、メールパターンｃに対応する乱数の個数が２個増やされ、メールパターンｄに対応する乱数の個数が１個増やされる。
【００２８】
図３（ｂ）は、遊技者の携帯電話から送信される電子メールの文字数に基づいて、メールパターン選択テーブルにおける乱数範囲（乱数の個数）を変更する際に参照される乱数範囲変更テーブルである。図３（ｂ）に示すように、この乱数範囲変更テーブルでは、文字数と増減される乱数の個数とが対応付けられている。
【００２９】
例えば、遊技者の携帯電話から送信される電子メールの文字数が“１００〜１９９文字”であった場合、メールパターンａに対応する乱数の個数が１個増やされ、メールパターンｂに対応する乱数の個数が２個増やされ、メールパターンｃに対応する乱数の個数が２個減らされ、メールパターンｄに対応する乱数の個数が１個減らされる。
【００３０】
図３（ｃ）は、遊技システムが遊技者の携帯電話に送信した電子メールに応じて、遊技者の携帯電話から返信される割合（本実施形態では、１週間で遊技者の携帯電話から返信される割合）であるメール返信率（ｎ）に基づいて、メールパターン選択テーブルにおける乱数範囲（乱数の個数）を変更する際に参照される乱数範囲変更テーブルである。図３（ｃ）に示すように、この乱数範囲変更テーブルでは、メール返信率（ｎ）と増減される乱数の個数とが対応付けられている。
【００３１】
例えば、メール返信率（ｎ）が１週間で“０％”であった場合、メールパターンａに対応する乱数の個数が１個減らされ、メールパターンｂに対応する乱数の個数が２個減らされ、メールパターンｃに対応する乱数の個数が２個増やされ、メールパターンｄに対応する乱数の個数が１個増やされる。
【００３２】
このように、乱数範囲変更テーブルは、遊技者の携帯電話からの電子メールのメール受信頻度や文字数、メール返信率（ｎ）等を少なくとも含むメール情報に対応して、遊技者の携帯電話に送信される電子メールが選択される確率を変更するように構成される。
【００３３】
次に、上述したメールパターン選択テーブルについて、図面を参照しながら説明する。図４及び図５は、本発明の一実施形態に係るメールパターン選択テーブルを示す図である。
【００３４】
図４に示すように、メールパターン選択テーブルは、テーブル記憶部２０３（テーブル記憶手段）に記憶されており、遊技者毎に異なるものである。このメールパターン選択テーブルは、メールパターンを選択する際に参照されるテーブルである。
【００３５】
具体的には、図５（ａ）及び図５（ａ’）に示すように、メールパターン選択テーブルでは、乱数範囲、乱数の個数及びメールパターン等が対応付けられている。また、図５（ａ）は、乱数範囲が初期値であるメールパターン選択テーブルを示す図であり、図５（ａ’）は、乱数範囲が初期値から変更されたメールパターン選択テーブルを示す図である。
【００３６】
次に、上述したメール選択テーブルについて、図面を参照しながら説明する。図６は、本発明の一実施形態に係るメール選択テーブルを示す図である。
【００３７】
図６に示すように、メール選択テーブルでは、メール番号と電子メール（いわゆる、メール内容）とが対応付けられている。このメール選択テーブルは、電子メールを選択する際に参照されるテーブルである。
【００３８】
例えば、メールパターンａが選択されている場合には、図６（ａ）に示すメールパターンａに対応するメール選択テーブルが参照され、メール１〜メールｎの何れかが選択される。
【００３９】
なお、図６（ａ）に示すメールパターンａに対応するメール選択テーブルは、メールパターンｂ，ｃ，ｄに対応するメール選択テーブルよりも遊技者にとって有利なメール内容が対応付けられている。また、図６（ｂ）に示すメールパターンｂに対応するメール選択テーブルは、メールパターンａに対応するメール選択テーブルよりも遊技者にとって不利なメール内容が対応付けられているが、メールパターンｃ，ｄに対応するメール選択テーブルよりも遊技者にとって有利なメール内容が対応付けられている。
【００４０】
図６（ｃ）に示すメールパターンｃに対応するメール選択テーブルは、メールパターンａ，ｂに対応するメール選択テーブルよりも遊技者にとって不利なメール内容が対応付けられているが、メールパターンｄに対応するメール選択テーブルよりも遊技者にとって有利なメール内容が対応付けられている。また、図６（ｄ）に示すメールパターンｄに対応するメール選択テーブルは、メールパターンａ，ｂ，ｃに対応するメール選択テーブルよりも遊技者にとって不利なメール内容が対応付けられている。
【００４１】
（ホールコンピュータ２００の動作）
以下において、本発明の一実施形態に係るホールコンピュータ２００の動作について、図面を参照しながら説明する。まず、本発明の一実施形態に係る受信処理について説明する。図７は、本発明の一実施形態に係る受信処理を示すフロー図である。
【００４２】
図７に示すように、ステップ１０において、ホールコンピュータ２００は、遊技者Ａの携帯電話から送信される電子メールを受信したか否かを判別する。また、ホールコンピュータ２００は、遊技者Ａの携帯電話から送信される電子メールを受信した場合には、ステップ１１の処理に移り、遊技者Ａの携帯電話から送信される電子メールを受信していない場合には、受信処理を終了する。
【００４３】
ステップ１１において、ホールコンピュータ２００は、ステップ１０で受信した電子メールのメール情報を履歴情報として記憶する。
【００４４】
次に、本発明の一実施形態に係る送信処理について説明する。図８は、本発明の一実施形態に係る送信処理を示すフロー図である。
【００４５】
図８に示すように、ステップ２０において、ホールコンピュータ２００は、送信間隔タイマの値が“０”であるか否かを判別する。すなわち、ホールコンピュータ２００は、所定の電子メール送信条件が成立したか否かを判別する。また、ホールコンピュータ２００は、送信間隔タイマの値が“０”である場合には、ステップ２１の処理に移り、送信間隔タイマの値が“０”でない場合には、送信処理を終了する。
【００４６】
ここで、送信間隔タイマとは、ホールコンピュータ２００が遊技者Ａに電子メールを送信する間隔を示すタイマであり、後述する送信処理のステップ２４においてセットされるタイマである。
【００４７】
なお、本実施形態において、この送信間隔タイマは、該送信間隔タイマにセットされた時間をカウントダウンするように構成されるものとするが、これに限定されるものではなく、時間をカウントアップするように構成されていてもよい。
【００４８】
ステップ２１において、ホールコンピュータ２００は、メールパターン選択テーブル（図４及び図５）を参照して、メールパターンａ〜メールパターンｄの何れかのメールパターンを選択する。
【００４９】
ステップ２２において、ホールコンピュータ２００は、メール選択テーブル（図６）を参照して、遊技者Ａの携帯電話に送信する電子メール（メール内容）を選択する。
【００５０】
例えば、ホールコンピュータ２００は、ステップ２１でメールパターンａが選択された場合には、メールパターンａに対応するメール選択テーブル（図６（ａ））を参照して、メール１〜メールｎの何れかの電子メールを選択する。
【００５１】
ステップ２３において、ホールコンピュータ２００は、ステップ２２で選択した電子メールを遊技者Ａの携帯電話に送信する。
【００５２】
ステップ２４において、ホールコンピュータ２００は、上述した受信処理のステップ１１で記憶した履歴情報（すなわち、メール情報）に基づいて、遊技者Ａに電子メールを送信する間隔を示す送信間隔タイマに値（本実施形態では、３日（７２時間））をセットする。
【００５３】
具体的には、ホールコンピュータ２００は、メール受信頻度に基づいて送信間隔タイマをセットする際、メール受信頻度が１週間で多い場合には、遊技者Ａに電子メールを送信する間隔を短くし、メール受信頻度が１週間で少ない場合には、遊技者Ａに電子メールを送信する間隔を長くする。
【００５４】
また、ホールコンピュータ２００は、電子メールの文字数に基づいて送信間隔タイマをセットする際、文字数が多い場合には、遊技者Ａに電子メールを送信する間隔を短くし、文字数が少ない場合には、遊技者Ａに電子メールを送信する間隔を長くする。
【００５５】
また、ホールコンピュータ２００は、メール返信率（ｎ）に基づいて送信間隔タイマをセットする際、メール返信率（ｎ）が高い場合には、遊技者Ａに電子メールを送信する間隔を短くし、メール返信率（ｎ）が低い場合には、遊技者Ａに電子メールを送信する間隔を長くする。
【００５６】
次に、本発明の一実施形態に係る乱数範囲変更処理について説明する。図９は、本発明の一実施形態に係る乱数範囲変更処理を示すフロー図である。
【００５７】
図９に示すように、ステップ３０において、ホールコンピュータ２００は、乱数範囲を変更するか否かを判別する。具体的には、ホールコンピュータ２００は、メール受信頻度やメール返信率（ｎ）に基づいて乱数範囲を変更する場合には、１週間経過したか否かを判別し、電子メールの文字数に基づいて乱数範囲を変更する場合には、上述した受信処理のステップ１１で履歴情報がセットされたか否かを判別する。
【００５８】
また、ホールコンピュータ２００は、乱数範囲を変更する場合には、ステップ３１の処理に移り、乱数範囲を変更しない場合には、乱数変更処理を終了する。
【００５９】
ステップ３１において、ホールコンピュータ２００は、乱数範囲変更テーブル（図３）を参照して、遊技者Ａに対応するメールパターン選択テーブルにおいてメールパターンと対応付けられた乱数範囲（乱数の個数）を変更する。
【００６０】
具体的には、ホールコンピュータ２００は、上述した受信処理のステップ１１で記憶した履歴情報に基づいて、乱数範囲変更テーブルを参照して遊技者Ａに対応するメールパターン選択テーブルにおいてメールパターンと対応付けられた乱数範囲を変更する。
【００６１】
例えば、ホールコンピュータ２００は、メール受信頻度によって乱数範囲を変更する場合、メール受信頻度が１週間で“０回”であったときには、メールパターンａに対応する乱数の個数を１個減らし、メールパターンｂに対応する乱数の個数を２個減らし、メールパターンｃに対応する乱数の個数を２個増やし、メールパターンｄに対応する乱数の個数を１個増やす（図３（ａ）を参照）。
【００６２】
また、ホールコンピュータ２００は、電子メールの文字数によって乱数範囲を変更する場合、遊技者Ａの携帯電話から送信された電子メールの文字数が“１００〜１９９文字”であったときには、メールパターンａに対応する乱数の個数が１個増やし、メールパターンｂに対応する乱数の個数が２個増やし、メールパターンｃに対応する乱数の個数が２個減らし、メールパターンｄに対応する乱数の個数が１個減らす（図３（ｂ）を参照）。
【００６３】
また、ホールコンピュータ２００は、メール返信率（ｎ）によって乱数範囲を変更する場合、メール返信率（ｎ）が１週間で“０％”であったときには、メールパターンａに対応する乱数の個数が１個減らし、メールパターンｂに対応する乱数の個数が２個減らし、メールパターンｃに対応する乱数の個数が２個増やし、メールパターンｄに対応する乱数の個数が１個増やす（図３（ｃ）を参照）。
【００６４】
なお、本実施形態において、ホールコンピュータ２００は、メール受信頻度、文字数又はメール返信率（ｎ）の何れかのメール情報（履歴情報）に基づいて、乱数範囲（乱数の個数）を変更するものとして説明したが、これに限定されるものではなく、メール受信頻度、文字数及びメール返信率（ｎ）の全てのメール情報に基づいて、乱数の個数を変更してもよい。
【００６５】
また、本実施形態において、ホールコンピュータ２００の動作は、遊技者Ａの携帯電話に対する動作として説明したが、これに限定されるものではなく、遊技者Ｂ〜遊技者Ｎに対して行うものであっても勿論よい。
【００６６】
（遊技システムの作用、及び、効果）
本発明の一実施形態に係る遊技システム１００によれば、ホールコンピュータ２００（選択確率変更手段）が、メール受信部２０１（メール受信手段）によって受信した電子メールのメール情報（すなわち、履歴情報）に基づいて、メール選択テーブル（メールパターン選択テーブル）における乱数範囲（メール選択確率）を変更することにより、遊技システム１００は、メールパターン選択テーブルにおいてメールパターンと対応付けられた乱数範囲（メール選択確率）を異ならせることができる。
【００６７】
また、ホールコンピュータ２００が、メール受信部２０１によって受信した電子メールのメール情報に基づいて、遊技者と対応付けられたメールパターン選択テーブルにおけるメールパターン選択確率を変更することにより、遊技システム１００は、メールパターン選択テーブルにおいてメールパターンと対応付けられた乱数範囲を遊技者毎に異ならせることができる。
【００６８】
また、ホールコンピュータ２００が、メール受信部２０１によって受信した電子メールのメール情報に基づいて、遊技者の携帯電話に電子メールを送信する間隔を変更することにより、遊技システム１００は、遊技者の携帯電話との間で行われる電子メールの送信する間隔を遊技者毎に異ならせることができる。すなわち、遊技者は、遊技システム１００との間で行われる電子メールをさらに楽しむことができる。
【００６９】
このように、本発明の一実施形態に係る遊技システム１００は、電子メールが選択されるパターンに多様性を持たせることができる。
【００７０】
（その他の実施形態）
以上のように、本発明の実施形態を通じて本発明の内容を開示したが、この開示の一部をなす論述及び図面は、本発明を限定するものであると理解すべきではない。
【００７１】
具体的には、上述した実施形態において、メール送信システムは、ホールにおける遊技システムとして説明したが、これに限定されるものではなく、端末装置と電子メールの送受信を行うものであればよい。
【００７２】
また、上述した実施形態では、メールパターン選択テーブルにおける乱数範囲が変更されるものとして説明したが、これに限定されるものではなく、メール選択テーブルに乱数範囲が対応付けられ、その乱数範囲が変更されてもよい。すなわち、ホールコンピュータ２００は、遊技者の携帯電話からのメール受信頻度、文字数又はメール返信率（ｎ）の何れかを少なくとも含むメール情報に基づいて、メールパターンを選択する確率を変更するものではなく、電子メール（メール内容）を選択する確率を変更するものであってもよい。
【００７３】
また、ホールコンピュータ２００は、所定の電子メール送信条件として送信間隔（送信間隔タイマ）で判別するものとして説明したが、これに限定されるものではない。例えば、ホールコンピュータ２００は、電子メール送信条件として、遊技者毎に異なるものではなく、所定の時刻（例えば、１２時（１日１回の時刻））等で判別するものであってもよい。
【００７４】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００７５】
【図１】本発明の一実施形態に係る遊技システムの構成を示す図である。
【図２】本発明の一実施形態に係る遊技システムの制御部を示すブロック図である。
【図３】本発明の一実施形態に係る乱数範囲変更テーブルを示す図である。
【図４】本発明の一実施形態に係るメールパターン選択テーブルを示す図である（その１）。
【図５】本発明の一実施形態に係るメールパターン選択テーブルを示す図である（その２）。
【図６】本発明の一実施形態に係るメール選択テーブルを示す図である。
【図７】本発明の一実施形態に係る受信処理を示すフロー図である
【図８】本発明の一実施形態に係る送信処理を示すフロー図である。
【図９】本発明の一実施形態に係る乱数変更処理を示すフロー図である。
【符号の説明】
【００７６】
１０ａ〜１０ｊ…遊技機、１００…遊技システム、２００…ホールコンピュータ、２０１…メール受信部、２０２…メール送信部、２０３…テーブル記憶部、２０４…メール選択部、２０５…送信間隔変更部、３００ａ〜３００ｃ…携帯電話、４００…ネットワーク
【図１】
2006309422.tif 000003
【図２】
2006309422.tif 000004
【図３】
2006309422.tif 000005
【図４】
2006309422.tif 000006
【図５】
2006309422.tif 000007
【図６】
2006309422.tif 000008
【図７】
2006309422.tif 000009
【図８】
2006309422.tif 000010
【図９】
2006309422.tif 000011